(57)【要約】【課題】軽量で、着用者が掛け心地のよいと感じ得る、新たな眼鏡フレーム及び眼鏡を提供することを目的とする。【解決手段】眼鏡１０を構成する眼鏡フレーム５０のフロントフレーム２００を形成するリム１０２Ａ，１０２Ｂの内周に形成した嵌合部と、レンズ１２０Ａ，１２０Ｂの外周に形成された溝と、を嵌合させるとともに、リム１０２Ａ，１０２Ｂの外周に、弾力性のある素材で形成されたリム枠１１６を装着して、レンズ１２０Ａ，１２０Ｂを止着することとしたものである。【選択図】図３
2010085523.tif 000002
【特許請求の範囲】
【請求項１】
レンズの外周に形成された溝に嵌合する嵌合部を形成したリムを備える眼鏡フレームであって、
前記リムには、前記リムの一部を切断した切断部が形成され、
前記リムの外周には、リム枠が装着されていることを特徴とする眼鏡フレーム。
【請求項２】
前記リム枠には、内周に溝が形成され、
前記リムの外周と、前記リム枠の内周に形成された溝と、が嵌合して、前記リムの外周に前記リム枠が装着されていることを特徴とする請求項１に記載の眼鏡フレーム。
【請求項３】
前記リムの外周には、前記リム枠の外周方向に突き出た突起部が形成され、
前記リム枠には、前記突起部が嵌め込まれる窪み部が形成されていることを特徴とする請求項１又は請求項２に記載の眼鏡フレーム
【請求項４】
前記突起部は、前記切断部の両側に形成されていることを特徴とする請求項３に記載の眼鏡フレーム。
【請求項５】
前記嵌合部は、凸状部と凹状部とで形成されていることを特徴とする請求項１から請求項４のいずれか１項に記載の眼鏡フレーム。
【請求項６】
請求項１から請求項５のいずれか１項に記載の眼鏡フレームと、前記眼鏡フレームに止着されたレンズと、を備えたことを特徴とする眼鏡。
【発明の詳細な説明】
【技術分野】
【０００１】
本発明は、レンズを止着する眼鏡フレームに関するものである。
【背景技術】
【０００２】
レンズの外周に形成された溝に、眼鏡フレームのリムの内周を嵌合させてレンズを止着した眼鏡がある。このような眼鏡は、リムの幅を薄くすることが可能で、それ故、眼鏡、具体的には、眼鏡フレームを軽量にすることができる。
【０００３】
このように軽量化可能な眼鏡（眼鏡フレーム）において、レンズに局部的な応力集中が発生することを防止可能な構成が提案されている。具体的には、リムの内周が部分的に切り欠かれた眼鏡フレームのリムが提案されている。この眼鏡フレームのリムによれば、レンズがリムに嵌った場合に、リムの内周の切り欠かれていない部分が溝に嵌合する一方、切り欠かれている部分は溝に嵌らず、レンズの外周との間に隙間が形成される。
【０００４】
なお、この眼鏡フレームのリムは、その一部が切断され、レンズを嵌めた後、切断部（切口）の裏側に設けたブローチ片をねじ止めすることで、切断部が開口しないようにしている。また、レンズ外周の隙間に関し、切欠きにより形成される段差寸法は、レンズ外周に形成された溝の深さ寸法より大きく、レンズを止着した眼鏡を正面視したとき、隙間を視認することができる（例えば、特許文献１参照）。
【０００５】
【特許文献１】特開２００１−２８１６０５号公報
【発明の開示】
【発明が解決しようとする課題】
【０００６】
眼鏡は、長時間にわたり着用されるものである。したがって、着用者が快適に長時間着用できるようにすることは、解決すべき重要な課題の一つである。
【０００７】
本発明は、軽量で、着用者が掛け心地のよいと感じ得る、新たな眼鏡フレーム及び眼鏡を提供することを目的とする。
【課題を解決するための手段】
【０００８】
上記従来の課題に鑑みなされた本発明の眼鏡フレーム及び眼鏡は、眼鏡フレームのリムの内周に形成した嵌合部と、レンズの外周に形成された溝と、を嵌合させるとともに、リムの外周にリム枠を装着してレンズを止着することとしたものである。
【０００９】
本発明に係る第１の課題解決手段は、レンズの外周に形成された溝に嵌合する嵌合部を形成したリムを備える眼鏡フレームであって、前記リムには、前記リムの一部を切断した切断部が形成され、前記リムの外周には、リム枠が装着されていることを特徴とする眼鏡フレームである。これによれば、切断部を利用してリムにレンズを取り付けた状態において、切断部の開口をリムの外周に装着したリム枠によって抑制することができる。なお、第１の課題解決手段の構成によれば、眼鏡フレームの軽量化を実現することができる。
【００１０】
第２の課題解決手段は、第１の課題解決手段の眼鏡フレームであって、前記リム枠には、内周に溝が形成され、前記リムの外周と、前記リム枠の内周に形成された溝と、が嵌合して、前記リムの外周に前記リム枠が装着されていることを特徴とする。これによれば、リム枠をリムの外周に確実に装着することが可能で、切断部の開口を抑制することができる。
【００１１】
第３の課題解決手段は、前記第１又は第２の課題解決手段の眼鏡フレームであって、前記リムの外周には、前記リム枠の外周方向に突き出た突起部が形成され、前記リム枠には、前記突起部が嵌め込まれる窪み部が形成されていることを特徴とする。これによれば、リム枠をリムに装着する際、リムとリム枠との相対的位置を容易に決めることができる。
【００１２】
第４の課題解決手段は、前記第３の課題解決手段の眼鏡フレームであって、前記突起部は、前記切断部の両側に形成されていることを特徴とする。これによれば、切断部を介してその両側部分に生じるずれ（開口）の発生を、特に、抑制することができる。
【００１３】
第５の課題解決手段は、第１から第４の課題解決手段のいずれか１つの眼鏡フレームであって、前記嵌合部は、凸状部と凹状部とで形成されていることを特徴とする。これによれば、レンズ外周の溝への応力集中を抑制することができる。
【００１４】
第６の課題解決手段は、第１から第５のいずれか１つの眼鏡フレームと、前記眼鏡フレームに止着されたレンズと、を備えたことを特徴とする眼鏡である。これによれば、フロント部分が軽量化された眼鏡とすることができる。
【発明の効果】
【００１５】
本発明によれば、軽量で、着用者が掛け心地のよいと感じ得る、新たな眼鏡フレーム及び眼鏡を得ることができる。
【発明を実施するための最良の形態】
【００１６】
本発明を反映した上記課題解決手段を実施するための実施形態について、図面を用いて以下に詳細に説明する。上記課題解決手段は以下に記載の構成に限定されるものではなく、同一の技術的思想において種々の構成を採用することができる。
【００１７】
図１は、本実施形態に係る眼鏡フレームを構成するフロントフレームを示す図である。フロントフレーム１００は、左右のリム１０２Ａ，１０２Ｂと、リム１０２Ａ，１０２Ｂを連結するブリッジ１０４と、により形成されている。リム１０２Ａ，１０２Ｂとブリッジ１０４とは板状部材（板厚：０．６ｍｍ／リム１０２Ａ，１０２Ｂが板状部材で形成されていることについては、図４参照）を加工し、一体的に形成されている。フロントフレーム１００を形成する素材としては、例えば、チタン、より詳細には、βチタンが採用される。これによれば、軽量・高剛性を実現することができる。
【００１８】
リム１００Ａ，１００Ｂには、切断部１０６Ａ，１０６Ｂが各々形成されている。環状のリム１００Ａ，１００Ｂは、切断部１０６Ａ，１０６Ｂで切断されている。これは、レンズをリム１００Ａ，１００Ｂに取り付けるためである。
【００１９】
リム１００Ａ，１００Ｂの外周には、切断部１０６Ａを中心として両側、詳細には切断部１０６Ａを中心として上側（図１を正面視した状態で上側）に突起部１０８Ａと、切断部１０６Ａを中心として下側（図１を正面視した状態で下側）に突起部１１０Ａと、が略水平方向（図１を正面視してた状態で略横方向）外側（ブリッジ１０４と反対側方向）に向けて形成されている。リム１０２Ａを例に、より詳細に説明すると、リム１０２Ａは、切断部１０６Ａで略鉛直方向（図１を正面視して略上下方向。図２に記載の矢印ａ・ａ’参照）に開口させることが可能であるところ、突起部１０８Ａ，１１０Ａは共に、この開口する方向に対して略垂直な方向（前記略水平方向）に向けて突出した形状に形成されている。
【００２０】
ブリッジ１０４から略鉛直方向（略鉛直方向については上記参照）に突出して突起部１１２Ａ，１１２Ｂが形成されている。なお、突起部１１２Ａ，１１２Ｂはフロントフレーム１００の中心線上（図１において１点鎖線にて描画）に形成されている
【００２１】
リム１０２Ａ，リム１０２Ｂの内周には、レンズ１２０Ａ，１２０Ｂ各々の外周に形成された溝（図４参照）に嵌合する嵌合部１１４Ａ，１１４Ｂが形成されている。図１のフロントフレーム１００において、嵌合部１１４Ａ，１１４Ｂは、凸状部と凹状部とを交互に配列した形状（凸状部及び凹状部が各４個形成）に形成されている。図１のフロントフレーム１００のリム１０２Ａ，１０２Ｂ各々にレンズ１２０Ａ，１２０Ｂ各々を取り付けた場合、嵌合部１１４Ａ，１１４Ｂの凸状部及びレンズ外周の溝が嵌合する一方、凹状部では、レンズ１２０Ａ，１２０Ｂ各々の外周に形成された溝の底面との間に空隙が形成される。フロントフレーム１００において、凹状部は、略四角形状のリム１０２Ａ，１０２Ｂの各角部に形成されている。角部において応力集中が発生し易いことを考慮したものである。
【００２２】
ここで、凸状部と凹状部により形成される段差寸法（図１に記載の寸法Ｌ参照）を、レンズ１２０Ａ，１２０Ｂ各々の外周に形成された溝の深さ寸法（図４に記載の寸法Ｈ参照）より小さくすると、レンズレンズ１２０Ａ，１２０Ｂ各々をリム１０２Ａ，１０２Ｂ各々に止着した場合、凹状部により形成される空隙をレンズ１２０Ａ，１２０Ｂの外周に形成される溝の側面にて覆うことができる。これによれば、例えば、埃その他の異物が、空隙を通過することを抑制できる。
【００２３】
なお、嵌合部１１４Ａ，１１４Ｂには必ずしも凹形状を形成する必要はなく、凹状部を形成していない、換言すれば、凹凸形状を成していない嵌合部とすることもできる（図３参照）。嵌合部１１４Ａ，１１４Ｂを、このような形状とした場合、嵌合部１１４Ａ，１１４Ｂと、レンズの外周に形成された溝と、は全周において嵌合する。
【００２４】
図２は、リムにレンズを取り付ける際の態様を示す図である。詳細は後述するが、レンズ１２０Ａ，１２０Ｂの外周には、上述しているとおり溝が形成されており、この溝と、板状のリム１０２Ａ，１０２Ｂと、を嵌合させる構成を採用する眼鏡１０では、接合部１０６Ａ，１０６Ｂを、略鉛直方向（図２に記載の矢印ａ・ａ’参照）に開口させた状態で、レンズ１２０Ａ，１２０Ｂがリム１０２Ａ，１０２Ｂに取り付けられる。
【００２５】
図３は、本実施形態に係る眼鏡を示す図であり、図３（ａ）は、眼鏡の上面図を示し、図３（ｂ）は、眼鏡の正面図を示す。なお、図３（ａ）において、テンプルについては、その描画を省略している。適宜所定の形状を成すテンプルを採用することができる。また、図３に示す眼鏡１０は、上述したとおり、凹凸形状を成していない嵌合部１１４Ａ、１１４Ｂを備えたフロントフレーム２００を採用している。しかし、フロントフレーム１００及びフロントフレーム２００は、嵌合部の凹凸形状を除き、同一の形状であるため、以下の説明では、フロントフレーム２００の各構成について、フロントフレーム１００と同一の符号を用いて説明する。フロントフレーム２００についての詳細は省略する。
【００２６】
眼鏡１０において、眼鏡フレーム５０は、リム１０２Ａ，１０２Ｂ及びブリッジ１０４の外周、換言すれば、フロントフレーム２００の外周に、フロントフレーム２００の外周形状と略同一形状の環状を成したリム枠１１６が装着され、構成されている。リム枠１１６は、弾性力を備える素材により形成することができる。例えば、アセテートを採用することができる。眼鏡フレーム５０では、リム枠１１６が備える弾性力により、レンズ１２０Ａ、１２０Ｂが、リム枠１０２Ａ，１０２Ｂに止着された状態を維持することが可能となる。なお、眼鏡１０は、従来採用されているブローチを使用せず、ねじ止めする構成を採用していない。
【００２７】
図４は、図３に記載のＡ−Ａ断面を示す図である。リム１０２Ａの嵌合部１１４Ａは、レンズ１２０Ａの外周（外周側面）に形成された溝１２２Ａに嵌合している。レンズ１２０Ａが止着された状態において、嵌合部１１４Ａとレンズ１２０Ａの外周に形成された溝１２２Ａとの間には、所定の隙間が形成されている。また、リム１０２Ａの外周部１１８Ａと、リム枠１１６の内周に形成された溝と、は嵌合している。外周部１１８Ａにリム枠１１６が装着された状態において、外周部１１８Ａとリム枠１１６の内周に形成された溝とは密着している。リム１０２Ｂ側についても図４と同一の構成となる。嵌合部１１４Ａと、レンズ１２０Ａの外周に形成された溝１２２Ａと、のはめ合いは、各種の点が考慮され、決定される。また、嵌合部１１４Ａ及びレンズ１２０Ａの外周に形成された溝１２２Ａの形状について、図４に示す形状とは異なる形状を採用し得る。リム１０２Ａの外周部１１８Ａとリム枠１１６との関係についても各種の点が考慮され、決定されるとともに、各種形状を採用し得る。
【００２８】
説明を図３に戻し、リム枠１１６について説明を続ける。リム枠１１６には、窪み部が形成され、リム１０２Ａ，１０２Ｂ及びブリッジ１０４の所定の箇所に形成された突起部１０８Ａ，１０８Ｂ，１１０Ａ，１１０Ｂ及び１１２Ａ，１１２Ｂが嵌め込まれる。図５は、リム枠及びリム枠における各窪み部の位置を示す図である。
【００２９】
図５から明らかなとおり、リム枠１１６には、合計６箇所に窪み部１２４Ａ〜１２４Ｆが形成されている。窪み部１２４Ａ〜１２４Ｆ各々は、フロントフレーム２００にリム枠１１６が装着された場合において、突起部１０８Ａ，１０８Ｂ，１１０Ａ，１１０Ｂ及び１１２Ａ，１１２Ｂ各々に対応する位置に形成されている。例えば、窪み部１２４Ａは突起部１０８Ａが配置される位置に、窪み部１２４Ｄは突起部１１０Ｂが配置される位置に形成されている。また、窪み部１２４Ｆは突起部１１２Ｂが配置される位置に形成されている（図３及び図５参照）。
【００３０】
窪み部１２４Ａ〜１２４Ｆ各々は、リム枠１１６の所定の一部を切り欠き、形成されている。窪み部１２４Ａ〜１２４Ｆ各々は、例えば、リム枠１１６の内周に形成された溝から、その奥側（リム枠１１６の外周側）に向かう穴とすることができる。図６（ａ）に、図５に記載のＢ−Ｂ断面（窪み部１２４Ｄの断面）を、図６（ｂ）に図５のＣ−Ｃ断面（窪み部１２４Ｅ、１２４Ｆの断面）を示す。
【００３１】
図６（ａ）に示すとおり窪み部１２４Ｄは、リム１０２Ｂの外周部が嵌合する、リム枠１１６の内周に形成された溝の奥側（図６（ａ）を正面視して水平方向右側）に向かう非貫通の穴（リム枠１１６の幅方向に非貫通）として形成されている。窪み部１２４Ｄは、リム枠１１６の外周（幅方向）に貫通した穴とすることもできる。突起部１０８Ａ，１０８Ｂ，１１０Ａの形状が、突起部１１０Ｂの形状と同一又は類似の形状であれば、窪み部１２４Ａ，１２４Ｂ，１２４Ｃは、窪み部１２４Ｄと同様（同一）の形状を成すよう形成することができる。
【００３２】
図６（ｂ）に示す窪み部１２４Ｅ，１２４Ｆについても、図６（ａ）の窪み部１２４Ｄと同じ態様で、ブリッジ１０４が嵌合するリム枠１１６の所定の位置に、非貫通の穴として形成されている。穴の形状を貫通穴とすることもできる。窪み部１２４Ａ〜１２４Ｆを非貫通又は貫通のいずれとするかは、各種の点が考慮され、決定される。例えば、窪み部１２４Ａ〜１２４Ｄをリム枠１１６の幅方向に非貫通の穴、窪み部１２４Ｅ，１２４Ｆを貫通する穴とすることもできる。また、窪み部１２４Ａ〜１２４Ｆ各々の形状を穴以外の形状とすることもできる。例えば、溝状であってもよい。
【００３３】
再度、説明を図３に戻し、眼鏡１０について説明を続ける。眼鏡１０は、通常の眼鏡同様、鼻パッド１２６Ａ，１２６Ｂを備える。鼻パッド１２６Ａ，１２６Ｂはフロントフレーム２００に、例えば、ロウ付けされている。
【００３４】
また、眼鏡１０は、一端側がフロントフレーム２００に接続されたヨロイ１２８Ａ，１２８Ｂを備える。ヨロイ１２８Ａ，１２８Ｂはフロントフレーム２００に、例えば、ロウ付けされている。ここで、ヨロイ１２８Ａ，１２８Ｂは、リム１０２Ａ，１０２Ｂ各々の上側の所定の位置（レンズ１２０Ａ，１２０Ｂが止着され、リム枠１１６が装着された状態において、これらと重複しない位置）にロウ付けされている。ヨロイ１２８Ａ，１２８Ｂの他端側には、蝶番部１３０Ａ，１３０Ｂが一体的に形成されている。蝶番部１３０Ａ，１３０Ｂが一体的に形成されたヨロイ１２８Ａ，１２８Ｂは、フロントフレーム２００と同一の素材、例えば、チタン（βチタン）により形成されている。
【００３５】
なお、上記説明では、フロントフレーム２００の外周にリム枠１１６を装着した眼鏡フレーム５０を含む眼鏡１０とした。眼鏡フレーム５０の構成として、フロントフレーム１００の外周にリム枠１１６を装着した構成とすることもできる。この場合においても、リム枠１１６の機能により、レンズ１２０Ａ、１２０Ｂが、リム枠１０２Ａ，１０２Ｂに止着された状態を維持できる。
【００３６】
（本実施形態の構成に基づく有利な効果）
上述の本実施形態の構成、具体的には、フロントフレーム１００，２００の外周に、リム枠１１６を装着した眼鏡フレーム５０によれば、眼鏡１０のフロント部分を軽量にすることができるとともに、次に記載の有利な効果を得ることができる。
【００３７】
（１）眼鏡フレーム５０は、リム枠１１６が備える弾性力により、切断部１０６Ａ，１０６ｂの相互に対向する面（断面）が当接するように、押圧されている。すなわち、リム枠１１６による弾性力を、このフロントフレーム１００，２００がレンズ１２０Ａ，１２０Ｂを止着するための押圧力として利用可能で、レンズ１２０Ａ、１２０Ｂに応力集中等が発生することなく、レンズ１２０Ａ、１２０Ｂをソフトな押圧力で止着できる。
【００３８】
（２）デザイン性を持たせたリム枠１１６とすることで、眼鏡１０に要求されるファッション性と機能性を両立することができる。また、リム枠１１６を各種取り揃え、これを取り替えることで、異なるイメージの眼鏡１０とすることができる。
【図面の簡単な説明】
【００３９】
【図１】本発明の実施形態におけるフロントフレームを示す図
【図２】本発明の実施形態におけるフロントフレームにレンズを取り付ける状態を示す図
【図３】（ａ）及び（ｂ）は、本発明の実施形態における眼鏡を示す図
【図４】本発明の実施形態における眼鏡の断面を示す図
【図５】本発明の実施形態におけるリム枠を示す図
【図６】（ａ）及び（ｂ）は、本発明の実施形態におけるリム枠の断面を示す図
【符号の説明】
【００４０】
１０  眼鏡
５０  眼鏡フレーム
１００，２００  フロントフレーム
１０２Ａ，１０２Ｂ  リム
１０６Ａ，１０６Ｂ  切断部
１１４Ａ，１１４Ｂ  嵌合部
１１６  リム枠
１２０Ａ，１２０Ｂ  レンズ
１２２Ａ  溝（レンズ１２０Ａの外周に形成）
【図４】
2010085523.tif 000003
【図６】
2010085523.tif 000004
【図１】
2010085523.tif 000005
【図２】
2010085523.tif 000006
【図３】
2010085523.tif 000007
【図５】
2010085523.tif 000008